(57)【要約】【課題】配設経路の幅を広げることなく、配線・配管材の本数を増やすことができる、配線・配管材の多段配設構造を提供する。【解決手段】配線・配管材の多段配設構造４は、上方に開口する溝部７を有する台座５が、配設面１に間隔をあけて複数設置され、溝部７に下段保持具８が取り付けられ、下段の配線・配管材２ａが、下段保持具８によって保持されて複数の台座５、５に架け渡されるように配設された、下段配設経路２０１が設けられる。台座５から上方に向けて立ち上がるように、台座５に一対の脚部６ａ、６ａが取付け固定され、下段配設経路２０１の上方に、一対の脚部６ａ、６ａの上端側を繋ぎ溝部７の長手方向に延びる上段形成部６ｂが配置され、上段の配線・配管材２ｂが、上段形成部６ｂに架け渡されるように配設された、上段配設経路２０２が設けられる。【選択図】  図１
2019022316.tif 000002
【特許請求の範囲】
【請求項１】
上方に開口する溝部を有する台座が、配設面に間隔をあけて複数設置され、
前記台座の溝部に下段保持具が取り付けられ、
下段の配線・配管材が、前記下段保持具によって保持されて複数の前記台座に架け渡されるように配設された、下段配設経路が設けられ、また、
前記溝部の両端よりも外側に位置して前記台座から上方に向けて立ち上がるように、前記台座に一対の脚部が、取付け固定され、
前記下段配設経路の上方に、前記一対の脚部の上端側を繋ぎ前記溝部の長手方向に延びる上段形成部が、配置され、
上段の配線・配管材が、前記上段形成部に架け渡されるように配設された、上段配設経路が設けられる、配線・配管材の多段配設構造。
【請求項２】
前記上段形成部には、前記下段保持具と同一の保持具を取り付け可能な、上方に開口する上段溝部が設けられ、
前記上段溝部に上段保持具が取り付けられ、その上段保持具によって、前記上段の配線・配管材が保持される、請求項１に記載の配線・配管材の多段配設構造。
【請求項３】
前記上段形成部には、前記下段保持具の前記溝部への取り付け機構と同一の取り付け機構を有する、上方に開口する上段溝部が設けられ、
前記上段溝部に上段保持具が取り付けられ、その上段保持具によって、前記上段の配線・配管材が保持される、請求項１に記載の配線・配管材の多段配設構造。
【請求項４】
前記上段形成部は、板状に形成され、
前記上段の配線・配管材は、その上段の配線・配管材を前記上段形成部とともに巻き付け固定するバンド部材によって前記上段形成部に保持される、請求項１に記載の配線・配管材の多段配設構造。
【請求項５】
上方に開口する溝部を有して、配設面に設置される台座と、
前記溝部に取り付けられて下段の配線・配管材を保持する下段保持具と、
前記下段保持具に保持される下段の配線・配管材よりも上方に上段の配線・配管材を配設するために、前記台座に取付け固定される上段配設経路形成部材とを、備え、
前記上段配設経路形成部材は、前記台座から上方に向けて立ち上がるように前記台座に取付け固定される一対の脚部と、それら脚部の上端側を繋ぐ上段形成部とを備え、
前記上段形成部に、前記上段の配線・配管材を保持する上段保持具を取り付けるための、上方に開口する上段溝部が設けられている、配線・配管材の多段配設装置。
【請求項６】
下段の配線・配管材を保持する下段保持具を取り付けるための、上方に開口する溝部を有して、配設面に設置される台座と、
前記下段保持具に保持される下段の配線・配管材よりも上方に上段の配線・配管材を配設するために、前記台座に取付け固定される上段配設経路形成部材とを、備え、
前記上段配設経路形成部材は、前記溝部の両端よりも外側に位置して前記台座から上方に向けて立ち上がるように前記台座に取付け固定される一対の脚部と、それら脚部の上端側を繋ぎ前記上段の配線・配管材が配置される上段形成部とを備える、配線・配管材の多段配設装置。
【請求項７】
前記脚部は、その下端側が、前記台座に取付け固定される被固定部となり、その被固定部が、前記溝部よりも下方で、前記台座に固定される、請求項６に記載の配線・配管材の多段配設装置。
【請求項８】
前記溝部は、両端が開放しており、前記脚部は、前記溝部の両端の開放箇所を覆うようにして、前記台座に固定される、請求項６または７に記載の配線・配管材の多段配設装置。
【請求項９】
上方に開口する凹溝を有する支持台が、配設面に間隔をあけて複数設置され、配線・配管材が、前記支持台の凹溝に取り付けられた保持具によって保持されて、複数の前記支持台に架け渡されるように配設された既設の配設経路に沿って、上段の配線・配管材を増設する増設方法であって、
上方に開口する溝部を有する台座を、前記既設の配設経路下の前記配設面に、間隔をあけて複数設置し、
前記溝部の両端よりも外側に位置して前記台座から上方に向けて立ち上がるように、前記台座に一対の脚部を取付け固定するとともに、前記既設の配設経路の上方に、前記一対の脚部の上端側を繋ぎ前記溝部の長手方向に延びる上段形成部を設け、
上段の配線・配管材を、前記上段形成部に架け渡す、配線・配管材の増設方法。
【請求項１０】
前記台座を設置した後のいずれかの段階で、前記溝部に下段保持具を取り付けて、その下段保持具で前記既設の配設経路の配線・配管材を保持する、請求項９に記載の配線・配管材の増設方法。
【請求項１１】
前記下段保持具で前記既設の配設経路の配線・配管材を保持した後のいずれかの段階で、前記支持台およびその支持台の前記凹溝に取り付けられた前記保持具を撤去する、請求項１０に記載の配線・配管材の増設方法。
【発明の詳細な説明】
【技術分野】
【０００１】
この発明は、配線・配管材の本数を増やすことができる、配線・配管材の多段配設構造、配線・配管材の多段配設装置、および配線・配管材の増設方法に関するものである。
【背景技術】
【０００２】
従来、屋上等の配設面に配線・配管材を配設するにあたって、配線・配管材が架け渡される設置具が用いられた（例えば、特許文献１、２参照）。この設置具は、配設面に載置されるブロック状の台座と、その台座の上面に設けられた溝状のレールと、そのレールに取り付けられて配線・配管材を保持する保持具とからなっていた。
【先行技術文献】
【特許文献】
【０００３】
【特許文献１】特開２０１５−１５４５３７号公報
【特許文献２】特開２００３−１４８６５７号公報
【発明の概要】
【発明が解決しようとする課題】
【０００４】
ところで、前記従来の設置具にあっては、配設する配線・配管材の本数が多い場合には、設置具の数を増やしたり、レールを長くしたりして、配線・配管材の配設経路を横に増やすことで対応することとなった。しかし、この方法では、幅を取り、人が、配線・配管材の配設経路を跨ぐことが困難となる虞があった。
【０００５】
この発明は、上記した従来の欠点を解決するためになされたものであり、その目的とするところは、配設経路の幅を広げることなく、配線・配管材の本数を増やすことができる、配線・配管材の多段配設構造、配線・配管材の多段配設装置、および配線・配管材の増設方法を提供することにある。
【課題を解決するための手段】
【０００６】
この発明に係る配線・配管材の多段配設構造、配線・配管材の多段配設装置、および配線・配管材の増設方法は、前記目的を達成するために、次の構成からなる。すなわち、
請求項１に記載の発明に係る配線・配管材の多段配設構造は、上方に開口する溝部を有する台座が、配設面に間隔をあけて複数設置され、前記台座の溝部に下段保持具が取り付けられ、下段の配線・配管材が、前記下段保持具によって保持されて複数の前記台座に架け渡されるように配設された、下段配設経路が設けられる。そして、前記溝部の両端よりも外側に位置して前記台座から上方に向けて立ち上がるように、前記台座に一対の脚部が、取付け固定され、前記下段配設経路の上方に、前記一対の脚部の上端側を繋ぎ前記溝部の長手方向に延びる上段形成部が、配置され、上段の配線・配管材が、前記上段形成部に架け渡されるように配設された、上段配設経路が設けられる。
【０００７】
この配線・配管材の多段配設構造によると、配設面に間隔をあけて設置される複数の台座の溝部に下段保持具が取り付けられ、下段の配線・配管材が、その下段保持具によって保持されて複数の台座に架け渡されるように配設される。そして、複数の台座に取付け固定される一対の脚部の上端側を繋ぐ上段形成部に、上段の配線・配管材が架け渡されるように配設される。こうして、下段の配線・配管材が配設された下段配設経路の上方に、上段の配線・配管材が配設された上段配設経路が設けられる。また、この多段配設構造においては、一対の脚部は、台座における溝部の両端よりも外側に位置する。このため、溝部に下段保持具を取り付けるにあたって、溝部の長さ全体を、脚部に妨げられることなく利用することができる。
【０００８】
また、請求項２に記載の発明に係る配線・配管材の多段配設構造は、請求項１に記載の多段配設構造において、前記上段形成部には、前記下段保持具と同一の保持具を取り付け可能な、上方に開口する上段溝部が設けられる。そこで、前記上段溝部に上段保持具が取り付けられ、その上段保持具によって、前記上段の配線・配管材が保持される。
【０００９】
また、請求項３に記載の発明に係る配線・配管材の多段配設構造は、請求項１に記載の多段配設構造において、前記上段形成部には、前記下段保持具の前記溝部への取り付け機構と同一の取り付け機構を有する、上方に開口する上段溝部が設けられる。そこで、前記上段溝部に上段保持具が取り付けられ、その上段保持具によって、前記上段の配線・配管材が保持される。
【００１０】
また、請求項４に記載の発明に係る配線・配管材の多段配設構造は、請求項１に記載の多段配設構造において、前記上段形成部は、板状に形成され、前記上段の配線・配管材は、その上段の配線・配管材を前記上段形成部とともに巻き付け固定するバンド部材によって前記上段形成部に保持される。
【００１１】
また、請求項５に記載の発明に係る配線・配管材の多段配設装置は、上方に開口する溝部を有して、配設面に設置される台座と、前記溝部に取り付けられて下段の配線・配管材を保持する下段保持具と、前記下段保持具に保持される下段の配線・配管材よりも上方に上段の配線・配管材を配設するために、前記台座に取付け固定される上段配設経路形成部材とを、備える。そして、前記上段配設経路形成部材は、前記台座から上方に向けて立ち上がるように前記台座に取付け固定される一対の脚部と、それら脚部の上端側を繋ぐ上段形成部とを備える。そこで、前記上段形成部に、前記上段の配線・配管材を保持する上段保持具を取り付けるための、上方に開口する上段溝部が設けられている。
【００１２】
この配線・配管材の多段配設装置によると、配設面に間隔をあけて設置される複数の台座の溝部に下段保持具が取り付けられ、下段の配線・配管材が、その下段保持具によって保持されて複数の台座に架け渡されるように配設される。そして、複数の台座に取付け固定される一対の脚部の上端側を繋ぐ上段形成部に、上段の配線・配管材が架け渡されるように配設される。こうして、下段の配線・配管材が配設された下段配設経路の上方に、上段の配線・配管材が配設された上段配設経路が設けられる。
【００１３】
また、請求項６に記載の発明に係る配線・配管材の多段配設装置は、下段の配線・配管材を保持する下段保持具を取り付けるための、上方に開口する溝部を有して、配設面に設置される台座と、前記下段保持具に保持される下段の配線・配管材よりも上方に上段の配線・配管材を配設するために、前記台座に取付け固定される上段配設経路形成部材とを、備える。ここで、前記上段配設経路形成部材は、前記溝部の両端よりも外側に位置して前記台座から上方に向けて立ち上がるように前記台座に取付け固定される一対の脚部と、それら脚部の上端側を繋ぎ前記上段の配線・配管材が配置される上段形成部とを備える。
【００１４】
この配線・配管材の多段配設装置によると、配設面に間隔をあけて設置される複数の台座の溝部に下段保持具が取り付けられ、下段の配線・配管材が、その下段保持具によって保持されて複数の台座に架け渡されるように配設される。そして、複数の台座に取付け固定される一対の脚部の上端側を繋ぐ上段形成部に、上段の配線・配管材が架け渡されるように配設される。こうして、下段の配線・配管材が配設された下段配設経路の上方に、上段の配線・配管材が配設された上段配設経路が設けられる。また、この多段配設装置においては、一対の脚部は、台座における溝部の両端よりも外側に位置する。このため、溝部に下段保持具を取り付けるにあたって、溝部の長さ全体を、脚部に妨げられることなく利用することができる。
【００１５】
また、請求項７に記載の発明に係る配線・配管材の多段配設装置は、請求項６に記載の多段配設装置において、前記脚部は、その下端側が、前記台座に取付け固定される被固定部となり、その被固定部が、前記溝部よりも下方で、前記台座に固定される。
【００１６】
また、請求項８に記載の発明に係る配線・配管材の多段配設装置は、請求項６または７に記載の多段配設装置において、前記溝部は、両端が開放しており、前記脚部は、前記溝部の両端の開放箇所を覆うようにして、前記台座に固定される。こうして、脚部が溝部の両端の開放箇所を覆うことで、溝部に取り付けられる下段保持具が、溝部の両端の開放箇所から抜け出ることがない。
【００１７】
また、請求項９に記載の発明に係る配線・配管材の増設方法は、上方に開口する凹溝を有する支持台が、配設面に間隔をあけて複数設置され、配線・配管材が、前記支持台の凹溝に取り付けられた保持具によって保持されて、複数の前記支持台に架け渡されるように配設された既設の配設経路に沿って、上段の配線・配管材を増設する増設方法である。この増設方法は、上方に開口する溝部を有する台座を、前記既設の配設経路下の前記配設面に、間隔をあけて複数設置する。そして、前記溝部の両端よりも外側に位置して前記台座から上方に向けて立ち上がるように、前記台座に一対の脚部を取付け固定するとともに、前記既設の配設経路の上方に、前記一対の脚部の上端側を繋ぎ前記溝部の長手方向に延びる上段形成部を設ける。その後、上段の配線・配管材を、前記上段形成部に架け渡す。
【００１８】
この配線・配管材の増設方法によると、既設の配設経路下の配設面に、複数の台座が設置され、それら台座に取付け固定される一対の脚部の上端側を繋ぐ上段形成部に、上段の配線・配管材が架け渡されるように配設される。こうして、配線・配管材が配設された既設の配設経路の上方に、上段の配線・配管材が配設された上段配設経路が設けられる。
【００１９】
また、請求項１０に記載の発明に係る配線・配管材の増設方法は、請求項９に記載の増設方法において、前記台座を設置した後のいずれかの段階で、前記溝部に下段保持具を取り付けて、その下段保持具で前記既設の配設経路の配線・配管材を保持する。
【００２０】
また、請求項１１に記載の発明に係る配線・配管材の増設方法は、請求項１０に記載の増設方法において、前記下段保持具で前記既設の配設経路の配線・配管材を保持した後のいずれかの段階で、前記支持台およびその支持台の前記凹溝に取り付けられた前記保持具を撤去する。
【発明の効果】
【００２１】
この発明に係る配線・配管材の多段配設構造、および配線・配管材の多段配設装置によれば、下段配設経路の上方に、上段配設経路を設けることで、配設経路の幅を広げることなく、配線・配管材の本数を増やすことができる。
【００２２】
また、この発明に係る配線・配管材の増設方法によれば、既設の配設経路の上方に、上段配設経路を設けることで、配設経路の幅を広げることなく、配線・配管材の本数を増やすことができる。
【図面の簡単な説明】
【００２３】
【図１】この発明の一実施の形態の、配線・配管材の多段配設構造の斜視図である。
【図２】同じく、配線・配管材の多段配設装置の斜視図である。
【図３】同じく、上段溝部形成体および上段保持具を除いた、配線・配管材の多段配設装置の斜視図である。
【図４】同じく、上段溝部形成体および上段保持具を除いた、配線・配管材の多段配設装置の縦断面図である。
【図５】同じく、台座に保持具を取り付けた斜視図である。
【図６】同じく、台座の斜視図である。
【図７】同じく、溝部形成体の斜視図である。
【図８】同じく、下段保持具の斜視図である。
【図９】同じく、上段配設経路形成部材の斜視図である。
【図１０】同じく、配線・配管材の増設方法における、既設の配設経路を示す斜視図である。
【図１１】同じく、配線・配管材の増設方法において、多段配設装置を配置して上段の配線・配管材を架け渡した状態を示す斜視図である。
【図１２】同じく、配線・配管材の増設方法において、下段保持具で既設の配線・配管材（下段の配線・配管材）を保持した状態を示す斜視図である。
【図１３】同じく、配線・配管材の増設方法において、既設の支持台および保持具を撤去した状態を示す斜視図である。
【図１４】この発明の他の実施の形態の、図１相当図である。
【図１５】この発明の第１変形例を示す、図３相当図である。
【図１６】この発明の第２変形例を示す、図３相当図である。
【発明を実施するための形態】
【００２４】
以下、この発明に係る配線・配管材の多段配設構造、配線・配管材の多段配設装置、および配線・配管材の増設方法を実施するための形態を図面に基づいて説明する。
【００２５】
図１〜図１３は、本発明の一実施の形態を示す。図中符号１は、建物の屋上とか建造物の床面等、その他の配設面を示す。２は、配線・配管材（配線材または配管材）を示す。３は、配線・配管材の多段配設装置を示す。４は、配線・配管材の多段配設構造を示す。
【００２６】
配線・配管材の多段配設装置３は、台座５と上段配設経路形成部材６とを備える。ここで、台座５は、配設面１に設置されるものであって、上方に開口する溝部７を有する。この溝部７は、配線・配管材２としての下段の配線・配管材２ａを保持する下段保持具８を取り付けるためのものである。また、上段配設経路形成部材６は、前記下段保持具８に保持される下段の配線・配管材２ａよりも上方に配線・配管材２としての上段の配線・配管材２ｂを配設するために、前記台座５に取付け固定されるものである。この上段配設経路形成部材６は、台座５から上方に向けて立ち上がるように台座５に取付け固定される一対の脚部６ａ、６ａと、それら脚部６ａ、６ａの上端側を繋ぐ上段形成部６ｂとを備えている。そこで、この上段形成部６ｂに、上段の配線・配管材２ｂが配置される。
【００２７】
詳細には、多段配設装置３は、台座５と上段配設経路形成部材６の他に、溝部７に取り付けられて下段の配線・配管材２ａを保持する下段保持具８を備える。また、上段配設経路形成部材６においては、一対の脚部６ａ、６ａは、台座５に設けられた溝部７の両端よりも外側に位置する。そして、一対の脚部６ａ、６ａを繋ぐ上段形成部６ｂにあっては、その上段形成部６ｂに、上段の配線・配管材２ｂを保持する上段保持具９を取り付けるための、上方に開口する上段溝部１０が設けられる。ここにおいて、上段形成部６ｂは、台座５に備わる溝部７の長手方向に延びるよう設けられ、上段溝部１０もまた、溝部７の長手方向に延びるよう設けられる。
【００２８】
配線・配管材の多段配設構造４は、前述の多段配設装置３を用いるものであって、前記台座５が、配設面１に間隔をあけて複数設置される。そして、台座５の溝部７に下段保持具８が取り付けられ、下段の配線配管材２ａが、下段保持具８によって保持されて複数の台座５、５に架け渡されるように配設された、下段配設経路２０１が設けられる。また、溝部７の両端よりも外側に位置して台座５から上方に向けて立ち上がるように、台座５に一対の脚部６ａ、６ａが、取付け固定される。そして、下段配設経路２０１の上方に、一対の脚部６ａ、６ａの上端側を繋ぎ溝部７の長手方向に延びる上段形成部６ｂが、配置され、上段の配線・配管材２ｂが、上段形成部６ｂに架け渡されるように配設された、上段配設経路２０２が設けられる。ここで、この上段配設経路２０２は、下段配設経路２０１の上方に、その下段配設経路２０１に沿うように設けられるものである。
【００２９】
また、多段配設装置３および多段配設構造４においては、上段形成部６ｂに設けられた上段溝部１０は、下段保持具８と同一の保持具を取り付け可能となっており、その上段溝部１０に上段保持具９が取り付けられ、その上段保持具９によって、上段の配線・配管材２ｂが保持される。こうして、上段溝部１０が、下段保持具８と同一の保持具を取り付け可能となることから、下段保持具８と上段保持具９とを共通化あるいは共用化することが可能となる。なお、ここにおいて、上段溝部１０は、下段保持具８と同一の保持具を取り付け可能となっているのであれば、それに加えて、下段保持具８とは異なる保持具を取り付け可能となっていても構わない。
【００３０】
さらに、上段形成部６ｂに設けられた上段溝部１０は、下段保持具８の溝部７への取り付け機構（後述する係合部７ａ）と同一の取り付け機構（後述する係合部１０ａ）を有し、その上段溝部１０に上段保持具９が取り付けられ、その上段保持具９によって、上段の配線・配管材２ｂが保持される。
【００３１】
具体的には、台座５は、横長となる略直方体形状の台座本体５ａと、前記溝部７を形成する溝部形成体７ｘとを備える。台座本体５ａは、上面に、その台座本体５ａの長手方向に沿って延びる溝５ｂを有して、内部には、錘となるコンクリートブロック５ｃが収容されている（図４参照）。溝部形成体７ｘは、台座本体５ａの溝５ｂに嵌められ、ビス等の固着具１１により台座本体５ａに固定される。このとき、溝部形成体７ｘは、台座本体５ａの溝５ｂの両端部分に達することがなく、その両端部分が、脚部６ａ（上段配設経路形成部材６）を取付け固定するための固定部５ｄとなっている。この溝部形成体７ｘは、溝部７を形成するように、上方に開口する断面略コ字形状をして、溝５ｂに沿って延びている。そして、この溝部形成体７ｘ、ひいては溝部７は、断面略コ字形状の両先端から、互いに向かい合う側に延びて若干下方に折れ曲がって形成された係合部７ａを有する。
【００３２】
そこで、これら係合部７ａ、７ａに、下段保持具８（詳しくは、下段保持具８に設けられる被係合部８ａ）が、下から係合し、その下段保持具８は、溝部形成体７ｘ（溝部７）に、その延びる方向の任意位置に支持される。
【００３３】
下段保持具８は、溝部７の長手方向からの操作により下段の配線・配管材２ａの保持状態とその保持状態を解除した解除状態とを切り換える操作部８ｂを有している。詳細には、下段保持具８は、二つの分割保持体８ｃ、８ｃと、締付ボルト８ｄを備える。そこで、この締付ボルト８ｄの頭部が、前記操作部８ｂとなる。分割保持体８ｃ、８ｃは、互いに対称に形成されて、両側から下段の配線・配管材２ａを挟むように、下段の配線・配管材２ａの周面に沿って湾曲して形成される。そして、各分割保持体８ｃの下部には、両側に突出するようにして前述の被係合部８ａが設けられ、また、上部には、前記締付ボルト８ｄを取り付けるための取付部８ｅが設けられる。
【００３４】
つまり、各取付部８ｅには、取付孔８ｆがあけられ、両取付孔８ｆ、８ｆを挿通する締付ボルト８ｄを締め付けることで、両分割保持体８ｃ、８ｃが、下段の配線・配管材２ａを挟み込むとともに、下段の配線・配管材２ａを台座５の上面（詳しくは、溝部形成体７ｘ（溝部７）の上面）に押さえつけ、これによって、溝部７の係合部７ａ、７ａに係合した両分割保持体８ｃ、８ｃ（つまり、下段保持具８）は、溝部７に取り付けられ、また、下段の配線・配管材２ａは、下段保持具８に保持されて、台座５に取り付けられる。
【００３５】
また、下段保持具８は、前述したように、その被係合部８ａが、溝部７の係合部７ａに係合するが、この係合にあたって、下段保持具８を構成する分割保持体８ｃの両被係合部８ａ、８ａを溝部７に沿う姿勢にして（つまり、分割保持体８ｃにおける両被係合部８ａ、８ａが並ぶ方向を溝部７の長手方向に向けて）溝部７内に挿入し、分割保持体８ｃを回転（詳しくは、鉛直軸回りに回転）させることで、被係合部８ａ、８ａを溝部７の係合部７ａ、７ａに係合させることができる。また、下段保持具８は、溝部７の両端からも、被係合部８ａ、８ａが溝部７の係合部７ａ、７ａに係合した姿勢のままその下段保持具８を溝部７の長手方向にスライドさせることで、溝部７に配置可能である。したがって、下段保持具８を構成する分割保持体８ｃを回転させるスペースがなくても、下段保持具８を溝部７の両端の開放箇所から溝部７に配置することができる。
【００３６】
上段配設経路形成部材６は、一対の脚部６ａ、６ａと上段形成部６ｂとで、門形に形成されている。脚部６ａは、その下端側が、台座５に固定される被固定部６ｃとなっている。図示実施の形態においては、被固定部６ｃは、外側にＬ字状に折れ曲がって形成され、その被固定部６ｃには、ボルト等の固着具１２が通る通孔６ｄがあけられている。そこで、固着具１２が通孔６ｄを通って台座５（詳しくは、前記固定部５ｄ）にねじ込まれることで、脚部６ａ、ひいては上段配設経路形成部材６は、台座５に取付け固定される。なお、前述の溝部７（溝部形成体７ｘ）は、両端が開放しており、脚部６ａは、溝部７の両端の開放箇所を覆うようにして、台座５に固定される。また、脚部６ａは、その脚部６ａの外側から工具を差し入れて下段保持具８の操作部８ｂ（図示実施の形態においては、締付ボルト８ｄの頭部）を操作できるよう、操作部８ｂを脚部６ａの外側に臨ませる逃がし空間、詳しくは、開口部６ｅ（図示実施の形態においては、長孔状の貫通孔６ｆ）を有している。
【００３７】
また、多段配設装置３とか多段配設構造４は、前記上段溝部１０を形成する上段溝部形成体１０ｘを備える。この上段溝部形成体１０ｘは、ビス等の固着具１３により、上段形成部６ｂに取付け固定される。この上段溝部形成体１０ｘは、前述の溝部形成体７ｘと同様の構成を有し、上段溝部１０を形成するように、上方に開口する断面略コ字形状をして、溝部形成体７ｘ（溝部７）に沿って延びている。そして、この上段溝部形成体１０ｘ、ひいては上段溝部１０は、断面略コ字形状の両先端から、互いに向かい合う側に延びて若干下方に折れ曲がって形成された係合部１０ａを有する。
【００３８】
そこで、係合部１０ａに、上段保持具９（詳しくは、上段保持具９に設けられる被係合部９ａ）が、下から係合し、その上段保持具９は、上段溝部形成体１０ｘ（上段溝部１０）に、その延びる方向の任意位置に支持される。
【００３９】
上段保持具９は、下段保持具８と同様の構成を有する。すなわち、上段保持具９は、二つの分割保持体９ｃ、９ｃと、締付ボルト９ｄを備える。分割保持体９ｃ、９ｃは、互いに対称形状に形成されて、両側から上段の配線・配管材２ｂを挟むように、上段の配線・配管材２ｂの周面に沿って湾曲して形成される。そして、各分割保持体９ｃの下部には、両側に突出するようにして前述の被係合部９ａが設けられ、また、上部には、締付ボルト９ｄを取り付けるための取付部９ｅが設けられる。
【００４０】
つまり、各取付部９ｅには、取付孔９ｆがあけられ、両取付孔９ｆ、９ｆを挿通する締付ボルト９ｄを締め付けることで、両分割保持体９ｃ、９ｃが、上段の配線・配管材２ｂを挟み込むとともに、上段の配線・配管材２ｂを上段溝部形成体１０ｘ（上段溝部１０）の上面に押さえつけ、これによって、上段溝部１０の係合部１０ａに係合した両分割保持体９ｃ、９ｃ（つまり、上段保持具９）は、上段溝部１０に取り付けられ、また、上段の配線・配管材２ｂは、上段保持具９に保持されて、上段形成部６ｂに取り付けられる。
【００４１】
以上の構成からなる配線・配管材の多段配設装置３、および配線・配管材の多段配設構造４によると、配設面１に間隔をあけて設置される複数の台座５、５の溝部７に下段保持具８が取り付けられ、下段の配線・配管材２ａが、その下段保持具８によって保持されて複数の台座５、５に架け渡されるように配設される。そして、複数の台座５、５に取付け固定される一対の脚部６ａの上端側を繋ぐ上段形成部６ｂに、上段の配線・配管材２ｂが架け渡されるように配設される。こうして、下段の配線・配管材２ａが配設された下段配設経路２０１の上方に、上段の配線・配管材２ｂが配設された上段配設経路２０２が設けられる。すなわち、下段配設経路２０１の上方に、上段配設経路２０２を設けることで、配設経路の幅を広げることなく、配線・配管材の本数を増やすことができ、また、配設経路の幅が広がらないことから、人が配線・配管材を跨ぎやすい。
【００４２】
また、一対の脚部６ａ、６ａは、台座５における溝部７の両端よりも外側に位置する。このため、溝部７に下段保持具８を取り付けるにあたって、溝部７の長さ全体を、脚部６ａに妨げられることなく利用することができる。また、脚部６ａが溝部７の両端の開放箇所を覆うことで、溝部７に取り付けられる下段保持具８が、溝部７の両端の開放箇所から抜け出ることがない。
【００４３】
また、脚部６ａは、開口部６ｅを有している。このため、脚部６ａの外側から開口部６ｅに工具を差し入れて操作部８ｂを操作することで、下段保持具８による下段の配線・配管材２ａの保持状態を解除して、下段の配線・配管材２ａを取り外したり、その後に、改めて下段の配線・配管材２ａを取り付けたりすることができる。つまり、上段形成部６ｂに配置された上段の配線・配管材２ｂをそのままにして、下段の配線・配管材２ａのみを交換したり、修繕したり、除去したりすることができる。
【００４４】
次に、配線・配管材の増設方法について、図１０〜図１３を基に説明する。この増設方法は、既設の配設経路２００に沿って上段の配線・配管材２ｂを増設する増設方法であって、その増設にあたって、前述の多段配設装置３を用いる。ここで、既設の配設経路２００は、図１０に示すように、上方に開口する凹溝１６を有する支持台１５が、配設面１に間隔をあけて複数設置され、配線・配管材２ｘが、支持台１５の凹溝に１６取り付けられた保持具１７によって保持されて、複数の支持台１５、１５に架け渡されるように配設されたものである。
【００４５】
そこで、配線・配管材の増設方法は、上方に開口する溝部７を有する台座５を、既設の配設経路２００下の前記配設面１に、溝部７の長手方向が既設の配設経路２００と交差する向きで、間隔をあけて複数設置する。そして、溝部７の両端よりも外側に位置して台座５から上方に向けて立ち上がるように、台座５に一対の脚部６ａ、６ａを取付け固定するとともに、既設の配設経路２００の上方に、一対の脚部６ａ、６ａの上端側を繋ぎ溝部７の長手方向に延びる上段形成部６ｂを設ける。その後、上段の配線・配管材２ｂを、上段形成部６ｂに架け渡す（図１１参照）。こうして、上段の配線・配管材２ｂが増設され、その上段の配線・配管材２ｂが、上段形成部６ｂに架け渡されるように配設された、上段配設経路２０２が設けられる。ここで、上段配設経路２０２は、既設の配設経路２００の上方に、その既設の配設経路２００に沿うように設けられるものであって、既設の配設経路２００は、前述した下段配設経路２０１となり、また、既設の配線・配管材２ｘ（既設の配設経路２００の配線・配管材）は、前述した下段の配線・配管材２ａとなる。
【００４６】
また、この配線・配管材の増設方法は、台座５を設置した後のいずれかの段階で、溝部７に下段保持具８を取り付けて、その下段保持具８で既設の配線・配管材２ｘを保持する（図１２参照）。そして、下段保持具８で既設の配線・配管材２ｘを保持した後のいずれかの段階で、支持台１５およびその支持台１５の凹溝１６に取り付けられた保持具１７を撤去する（図１３参照）。もっとも、この配線・配管材の増設方法において、支持台１５および保持具１７を撤去することなく、既設の配線・配管材２ｘを保持具１７に保持させた状態で、それらをそのまま残してもよいし、さらには、溝部７に下段保持具８を取り付けたりその下段保持具８で既設の配線・配管材２ｘを保持したりしなくてもよい。
【００４７】
ところで、図示実施の形態においては、一対の脚部６ａ、６ａと上段形成部６ｂとは、それらが一体となった上段配設経路形成部材６によって形成されている。また、図示実施の形態においては、上段形成部６ｂに上段溝部１０（詳しくは、上段溝部形成体１０ｘ）が設けられ、その上段溝部１０に取り付けられた上段保持具９によって、上段の配線・配管材２ｂが保持される。このため、上段の配線・配管材２ｂは、これら上段溝部１０および上段保持具９を介して、上段形成部６ｂに架け渡される。
【００４８】
この配線・配管材の増設方法によると、既設の配設経路２００下の配設面１に、複数の台座５、５が設置され、それら台座５、５に取付け固定される一対の脚部６ａ、６ａの上端側を繋ぐ上段形成部６ｂに、上段の配線・配管材２ｂが架け渡されるように配設される。こうして、配線・配管材２ｘが配設された既設の配設経路２００の上方に、上段の配線・配管材２ｂが配設された上段配設経路２０２が設けられる。すなわち、既設の配設経路２００の上方に、上段配設経路２０２を設けることで、配設経路の幅を広げることなく、配線・配管材の本数を増やすことができ、また、配設経路の幅が広がらないことから、人が配線・配管材を跨ぎやすい。
【００４９】
なお、本発明は、上述した実施の形態に限定されるわけではなく、その他種々の変更が可能である。例えば、上段溝部１０は、下段保持具８と同一の保持具を取り付け可能となっていなくてもよい。また、上段溝部１０は、下段保持具８の溝部７への取り付け機構と同一の取り付け機構を有するものでなくてもよい。
【００５０】
また、上段形成部６ｂと上段溝部１０（上段溝部形成体１０ｘ）とは、別体となっているが、一体に形成されてもよい。
【００５１】
また、上段形成部６ｂには、上段溝部１０が設けられているが、図１４に示すように、この上段溝部１０は、設けられなくてもよい。ここで、上段形成部６ｂは、板状に形成され、上段の配線・配管材２ｂは、その上段の配線・配管材２ｂを上段形成部６ｂとともに巻き付け固定するバンド部材１８によって上段形成部６ｂに保持される。また、図示実施の形態においては、上段形成部６ｂは、その幅方向の両端縁が、下側に折り返されており、これによって、バンド部材１８が上段形成部６ｂの端縁で傷付くのを防ぐことができる。
【００５２】
また、脚部６ａは、図１５に示すように、二本の脚片６ｘ、６ｘからなって、それら脚片６ｘ、６ｘの間が前記開口部６ｅとなってもよい。そして、図示実施の形態においては、各脚片６ｘの下端側が、被固定部６ｃとなって、その被固定部６ｃが、ボルト等の固着具１２により台座５に固定される。
【００５３】
また、脚部６ａは、その下端側が、台座５に取付け固定される被固定部６ｃとなるが、図１６に示すように、その被固定部６ｃが、溝部７よりも下方で、台座５に固定されてもよい。図示実施の形態においては、被固定部６ｃは、折れ曲がることなく、真直ぐ下方に延びて、台座５の側面に、ボルト等の固着具１２を用いて固定される。
【００５４】
また、上段配設経路形成部材６は、一対の脚部６ａ、６ａと上段形成部６ｂとが一体に形成されているが、それら一対の脚部６ａ、６ａと上段形成部６ｂとは、別体に形成されて互いに組み付けられてもよい。
【００５５】
また、配線・配管材の増設にあたって、既設の配設経路２００の下に台座５を設置することから、台座５の上面は、支持台１５の上面と同じ高さであるか、あるいは支持台１５の上面よりも低いのが好ましい。もっとも、その既設の配設経路２００の配線・配管材２ｘを、支持台１５、１５間で持ち上げることができるのであれば、台座５の上面は、支持台１５の上面よりも高くても構わない。
【００５６】
また、操作部８ｂは、下段保持具８による下段の配線・配管材２ａの保持とその解除を操作できるものであればよく、締付ボルト８ｄの頭部に限るものではない。
【符号の説明】
【００５７】
１  配設面
２ａ  下段の配線・配管材
２ｂ  上段の配線・配管材
２ｘ  既設の配線・配管材（既設の配設経路の配線・配管材）
２０１  下段配設経路
２０２  上段配設経路
２００  既設の配設経路
３  多段配設装置
４  多段配設構造
５  台座
６  上段配設経路形成部材
６ａ  脚部
６ｂ  上段形成部
６ｅ  開口部
７  溝部
８  下段保持具
９  上段保持具
１０  上段溝部
１５  支持台
１６  凹溝
１７  保持具
１８  バンド部材
【図１】
2019022316.tif 000003
【図２】
2019022316.tif 000004
【図３】
2019022316.tif 000005
【図４】
2019022316.tif 000006
【図５】
2019022316.tif 000007
【図６】
2019022316.tif 000008
【図７】
2019022316.tif 000009
【図８】
2019022316.tif 000010
【図９】
2019022316.tif 000011
【図１０】
2019022316.tif 000012
【図１１】
2019022316.tif 000013
【図１２】
2019022316.tif 000014
【図１３】
2019022316.tif 000015
【図１４】
2019022316.tif 000016
【図１５】
2019022316.tif 000017
【図１６】
2019022316.tif 000018